(57)【要約】      （修正有）【課題】嵌（かん）合回路基板コネクタと一緒に使用するシールディングケージ又はガイドフレームを必要としない構造を有する回路基板コネクタと嵌合するケーブルコネクタに関し、ガイド部材によって対向するコネクタと係合するために案内されるプラグコネクタ、また、面実装レセプタクルコネクタと嵌合するプラグコネクタを提供する。【解決手段】コネクタの嵌（かん）合面から前方に延びている本体部及び回路カードを備えるプラグコネクタが露出されている。回路カードは、本体部から前方に延びている１つ又はいくつかの保護フランジによって適所に保護され、引抜くことからそれを保護するために回路カードを側面に設置し、そして、プラグコネクタをレセプタクルコネクタと整合する手段を提供する。本体部は回路カードに対応している中空フレームを備え、フレームの内部はプラスチック等の成形部材で満たされている。【選択図】図１
0003121388.tif 000002
【実用新案登録請求の範囲】
【請求項１】
嵌合コネクタにワイヤを接続するためのプラグコネクタであって、
コネクタハウジングであって、絶縁本体部を含み、前記コネクタハウジングの本体部が前面を含むコネクタハウジングと、
前記嵌合コネクタと嵌合するための接点を備える前縁部と、複数のワイヤを終端するための接点を有する後縁部とを含む回路カードであって、該回路カードの前縁部が、あらかじめ選択した長さだけコネクタ本体部の前面から前方に延在し、前記回路カードの後縁部が前記コネクタハウジング内に配置されるように、前記コネクタハウジング内に配置されている回路カードと、
前記回路カードの後縁部の接点で終端する複数のワイヤとを有し、
前記コネクタハウジングの本体部が、該コネクタハウジングの本体部から、前記回路カードから間隔を置いて第１のあらかじめ選択した距離だけ延在する第１のフランジと、前記コネクタハウジングの本体部から、前記回路カードから間隔を置いて第２のあらかじめ選択した距離だけ延在する第２のフランジとを含み、
前記コネクタハウジングの本体部が、前壁部及び２つの側壁部を含み、前記前壁部が、前記コネクタハウジングの本体部の前面を画定し、前記２つの側壁部が、それ自身の間に前記前壁部の後方に中空の終端ネストを画定し、前記回路カードの後縁部が、前記終端ネスト内に配設され、前記ワイヤが、前記終端ネスト内の前記回路カードの後縁部の接点で終端するプラグコネクタ。
【請求項２】
前記終端ネストを、成形可能な絶縁性材料で満たし、前記ワイヤ終端を前記成形可能な材料内に囲むように、前記コネクタハウジングの本体部の一部がオーバーモールドされる、請求項１に記載のプラグコネクタ。
【請求項３】
前記コネクタハウジングの本体部が、前記回路カードの少なくとも１つの側縁部を収容する縦方向のスロットを含み、前記コネクタハウジングの本体部が、前記コネクタハウジングの本体部の前面から前方に前記回路カードの前縁部を露出するように、前記回路カードが通過する横方向のスロットを含む、請求項１に記載のプラグコネクタ。
【請求項４】
前記第２のフランジが、第２のあらかじめ選択した距離だけ、前記コネクタハウジングの本体部の前面から延在し、前記第１のフランジから間隔を開けて配設されて、前記第１及び第２のフランジが前記回路カードの側面に位置する、請求項１に記載のプラグコネクタ。
【請求項５】
前記第１のフランジの第１のあらかじめ選択した距離が、前記第２のフランジの第２のあらかじめ選択した距離より長い、請求項４に記載のプラグコネクタ。
【請求項６】
前記回路カードの前縁部、第１及び第２のフランジすべてが、それぞれの幅を備え、前記回路カードの前縁部の幅が、前記第１のフランジの幅より狭く、前記第２のフランジの幅より広い、請求項１に記載のプラグコネクタ。
【請求項７】
前記第１のフランジが、その側縁部に沿ってある角度をなす引込構成を含む、請求項１に記載のプラグコネクタ。
【請求項８】
前記コネクタハウジングの本体部が、それを嵌合コネクタに関連するガイド部材と整合するための手段を含み、前記整合手段がＴ字形の突起を含む、請求項１に記載のプラグコネクタ。
【請求項９】
前記各コネクタハウジングの本体部の２つの側壁部が、その外面上に配設されているＴ字形の突起を含む、請求項８に記載のプラグコネクタ。
【請求項１０】
前記コネクタハウジングの本体部が、少なくとも１つの停止部材を含み、前記回路カードが、その内部に形成されている少なくとも１つのカード位置決め肩部を含み、前記停止部材が、前記回路カードに当接し、前記コネクタハウジング内の所定位置に前記回路カードを位置決めする、請求項３に記載のプラグコネクタ。
【請求項１１】
前記コネクタハウジングの本体部が一対の停止部材を含み、前記回路カードが一対のカード位置決め肩部を含み、前記カード位置決め肩部が前記回路カードの２つの対向する側縁部に沿って配設され、前記停止部材が、前記回路カードが前記横方向のスロットを通して突出する距離を制限する、請求項１０に記載のプラグコネクタ。
【請求項１２】
前記回路カードが、前記回路カードの対向する側面上の前記終端ネストのエリアに成形可能な材料を流すことができるその内部に形成されているノッチを備える、請求項２に記載のプラグコネクタ。
【請求項１３】
その上にぴったり合い、前記終端ネストを封鎖するあらかじめ形成されたカバー部を更に含む、請求項１に記載のプラグコネクタ。
【考案の詳細な説明】
【技術分野】
【０００１】
本考案は、概して、ケーブルコネクタに関し、特に、嵌（かん）合回路基板コネクタと一緒に使用するシールディングケージ又はガイドフレームを必要としない構造を有する回路基板コネクタと嵌合するケーブルコネクタに関する。
【背景技術】
【０００２】
通常はプラグコネクタであるコネクタにケーブルを終端して、次に、そのコネクタを回路基板上に装着されているレセプタクルコネクタと嵌合することによって、回路基板にケーブルを接続する方法が、電子業界において一般的に使用されている。ケーブルを回路基板に装着されているコネクタに接続する場合の周知の問題は、ケーブルの重量及び動きによって、回路基板へのレセプタクルコネクタの実装点が緩み、それにより、信号の経路が切断し、回路基板が故障する傾向があることである。
【０００３】
このことは、レセプタクルコネクタを囲むために回路基板に装着され、プラグ又は類似のコネクタを挿入することができる開口部を形成する大型のガイドフレームを使用することによって防止することができる。しかし、このようなガイドフレームは大きく、回路又は端子を追加するために使用することができる回路基板上の貴重なスペースを占拠してしまう。さらに、このようなガイドフレームは、通常、ダイキャストであり、落した場合、破損し易い。
【０００４】
また、狭い限られたスペース内でこのようなプラグコネクタをその関連するレセプタクルコネクタと嵌合する場合、いくつかの問題が起こる。すなわち、正しく嵌合させるためにプラグをある方向に向けることが難しく、狭いスペース内で屑（くず）及び汚染物質がレセプタクルコネクタ端子と容易に接触することになる。
【０００５】
コネクタコンセントの歪（ゆが）みも問題になり、このような歪みは、ケーブルの重量、大きさ及び動きによって発生する場合がある。さらに、コネクタプラグ及びその嵌合するコネクタコンセントが時々相互にずれる恐れがあり、言うまでもないことだが、組立工程が複雑になり、高速コネクタの場合には、端子の一部が通常コネクタハウジングの外部に露出し、端子が汚染される場合がある。したがって、回路基板上で広いスペースを占拠しないで、対向するコネクタと嵌合するために、自分自身を整合するための内蔵手段を含むプラグコネクタが必要とされている。
【考案の開示】
【考案が解決しようとする課題】
【０００６】
したがって、本考案は、上記問題点を解決し、同時に、上記所望の利点を有するプラグコネクタに関するものである。
【課題を解決するための手段】
【０００７】
したがって、本考案の一般的な目的は、ガイド部材によって対向するコネクタと係合するために案内されるプラグコネクタを提供することである。
【０００８】
本考案の他の目的は、面実装レセプタクルコネクタと嵌合するプラグコネクタを提供することである。レセプタクルコネクタは、その底面に沿って配置されている凹部を含む。プラグコネクタは、該プラグコネクタをレセプタクルコネクタと整合するのを助け、該レセプタクルコネクタの凹部内に入る突出フランジを有する。
【０００９】
本考案の更に他の目的は、面実装レセプタクルコネクタと嵌合するプラグコネクタを提供することである。レセプタクルコネクタは、その底面に沿って配置されている凹部を含む。プラグコネクタは、該プラグコネクタをレセプタクルコネクタと整合するのを助け、該レセプタクルコネクタの凹部内に入る少なくとも１つの突出フランジを有する。
【００１０】
本考案の更に他の目的は、上記レセプタクルコネクタと嵌合するプラグコネクタを提供することである。プラグコネクタは、レセプタクルコネクタと嵌合するようにプラグコネクタを整合し、案内するガイド部材と係合するための手段を有する。プラグコネクタは、回路カードの形をしている嵌合突起を含む。プラグコネクタは、さらに、回路カードから間隔を置いた、該回路カードの上下を外側に延びる一対の保護フランジを含む。プラグコネクタフランジは、レセプタクルコネクタの対向する表面を覆い、露出しているレセプタクルコネクタの端子の一部が、汚染物質のような外部材料と接触するのを防止している。
【００１１】
本考案の更に他の目的は、回路基板に実装されているレセプタクルコネクタと嵌合するためのコネクタを提供することである。レセプタクルコネクタは、その中に配置されている横方向のスロットを含む。レセプタクルコネクタスロットは、端子を収容する外部スロットによって、その内部の所定位置に支持されている複数の導電性端子を含む。端子は、レセプタクルコネクタのスロット内に延びる。コネクタは、そこから突出していて、２つのコネクタが一緒に嵌合した場合、スロット内に収容される縁部カードを含む。コネクタは、さらに、そこから回路カード上を延びる少なくとも１つのフランジを含む本体を含む。フランジは、レセプタクルコネクタの少なくとも一組の端子の一部上を延びる。フランジは、コネクタをレセプタクルコネクタと整合させるためのある角度を有する引込構成を含む。
【００１２】
本考案の更に他の目的は、上記構造のプラグコネクタを提供することである。該プラグコネクタは、フレーム部材を含む。該フレーム部材は、プラグコネクタの嵌合面を形成し、その嵌合面から前方に延びる１つ又は２つの保護フランジを有する。フランジ部材は、回路カードが挿入され、回路カードの嵌合縁部が突出し、フレーム部材の嵌合面を越える位置に案内される内部案内部を有する。フレーム部材は、さらに、嵌合面の後方に延びていて、回路カード上の対応するパッドまで延びる露出ワイヤに対するフレーム部材の終端エリアを形成する２つの側壁部材を含む。終端エリア及びワイヤは、１つのプラグコネクタハウジングを形成するための成形材料で満たされている。
【００１３】
本考案の更に他の目的は、コネクタ本体、該コネクタ本体の前面から突出している回路カード、前面から突出していて、回路カードの側面に位置する１つ又は複数の保護フランジ、その上に形成されているスロットを含むコネクタ本体及びベースプレート、並びに、該ベースプレート上で折曲がっている作動プレートを含み、スロット内に収容されるラッチ部材を収容するスロットを含むプラグコネクタを提供することである。ラッチ部材は、レセプタクルコネクタの近くに位置する案内の対応する開口部と係合する１つ又は複数の突起を有する。
【００１４】
本考案は、その構造によって上記及び他の目的並びに形態を達成する。この構造は、１つの主要な形態においては、レセプタクルコネクタに関連するガイド部材内に挿入することができるハウジングを備えるプラグコネクタを含み、該プラグコネクタをある方向に向け、レセプタクルコネクタと整合させる。
【００１５】
本考案と一緒に使用するレセプタクルコネクタは、通常、コネクタ本体から横方向に延びるカード収容スロットを含む本体を備え、導電性端子が、コネクタ本体内に挿入され、その接触部はスロット内に延びる。本考案のプラグコネクタは、回路カードを含み、その好ましい実施形態の場合には、レセプタクルコネクタのスロット内に延びるために、嵌合ブレード及び回路カードはプラグコネクタの前面から延びる。レセプタクルコネクタは、その装着脚部の間及びカード収容スロットの下で、その下面上に配置されている凹部を含むことができる。プラグコネクタは、前面から前方に延びるより低い、又は、第１のフランジを含むことが好ましい。このフランジは凹部内に収容され、そのため、プラグコネクタをレセプタクルコネクタに正しく嵌合するための案内としての働きをする。下のフランジは、また、レセプタクルコネクタの底面に沿って露出している端子の内のいくつかの上を少なくとも部分的に延びていて、これらを屑及び汚染の堆（たい）積から保護する働きをするような十分な長さを有することが好ましい。下のフランジは、また、回路カードの幅より狭い幅を有することが好ましい。したがって、下のフランジは、レセプタクルコネクタと回路基板との間に形成されている低い凹部に入った場合、何らの干渉も受けない。
【００１６】
本考案の他の主要な形態においては、プラグコネクタは、回路カード及び第１のフランジが突出している形成された嵌合面を含むハウジングを備える。第２のフランジを設置することができ、該第２のフランジは、第１のフランジ及び回路カードから間隔を置いていて、そのため、２つのフランジは回路カードの側面に位置する。本考案の通常の用途の場合、この第２のフランジは、プラグコネクタに対する頂部フランジとしての働きをし、一方、第１のフランジは、プラグコネクタの低い、又は、底部フランジとしての働きをする。第２のフランジは、また、嵌合面の前方に延びていて、回路カードを覆うだけの十分な長さ及び幅を有することが好ましい。この第２のフランジは、最初、プラグコネクタをレセプタクルコネクタと嵌合整合するために案内する一次ガイドとしての働きをし、したがって、この第２のフランジは、レセプタクルコネクタガイドと接触することができるある角度を有する引込縁部を含むことができる。プラグコネクタを更に前方に押し、回路カードがレセプタクルコネクタのカード収容スロットと接触し始めると、第２のフランジは、レセプタクルコネクタの上面上の露出端子の一部を覆う。
【００１７】
本考案の更に他の主要な形態においては、プラグコネクタ本体は、プラグコネクタとレセプタクルコネクタとの間で、二次整合を行うための１つ又は複数の機能を含むことができる。これらの機能は、プラグコネクタ本体の外側面上に配置されている突起又はラグの形を採ることができる。好ましい実施形態の場合には、これらのラグはＴ字形をしていて、このような各Ｔ字形の脚部は、縦方向に又はプラグコネクタ本体の縦軸に平行に延びていて、各Ｔ字形の頂部は、プラグコネクタ本体の縦軸に対して横方向に延びる。これらのＴ字形のラグは、レセプタクルコネクタのガイド部材の前縁部内に形成されている対応するスロットと係合し、また、ガイド部材及びレセプタクルコネクタ内へのプラグコネクタの前方向の行程を制限する停止部材としての働きをする。
【００１８】
本考案の更に他の主要な形態においては、プラグコネクタは、ほぼＵ字形をしているフレーム部材を使用する一意の構造を有する。フレーム部材はあらかじめ形成され、前面及び相互に分離していて、その間に、終端ネストを形成する２つの後方に延びる側壁部又はウィング部を有する。前面は、平らな面として形成するのが好ましいが、湾曲していても、特別に構成されていても、又は、他の形をしていてもよい。フレーム部材は、回路カードの対向する縁部を収容するスロットを有し、カードは、所定の長さだけフレーム内に押込むことができるように、ある角度を有する縁部と一緒に形成することができる。回路カードの嵌合縁部が、そこを通して突出して、前面を越えることができるように、開口部が前面内に形成されている。前面は、また、第１及び第２のフランジ、又はそうしたい場合には、それと一緒に形成されている第１のフランジだけを含む。
【００１９】
次に、ケーブルワイヤが剥（は）がれ、露出した端部を、２つの側壁部間に保持されている回路基板の終端端部にはんだ付又は他の方法で取付けることができる。これらのワイヤが取付けられると、単一構造を有するが、簡単な組立体であるプラグコネクタの完成品を生成するために、終端エリアをプラスチックのような成形可能な材料で満たすことができる。
【００２０】
下記の詳細な説明を読めば、本考案の上記及び他の目的、特徴及び利点をはっきりと理解することができるであろう。
【００２１】
類似の素子に類似の参照符号が付いている添付の図面を参照しながら下記の説明を読めば、本考案をその目的及び利点と一緒に最もよく理解することができるであろう。
【考案を実施するための最良の形態】
【００２２】
図１は、回路基板又は他の基板４の導電トレース６とケーブル１０１内の導電体との間で、電気信号を交換するために使用する電子組立体２の分解図である。図１の場合には、電子組立体２は、集積回路、抵抗、コンデンサ、インダクタ等のような電子構成要素を実装することができる回路基板４を含む。周知のように、回路基板に実装されている電子構成要素は、そのうちの少なくともいくつかは、基板４の少なくとも表面上に位置する１つ又は複数の導電トレース６によって相互に接続している。電気信号は、基板４に実装されていて、対向するケーブルコネクタと嵌合しているレセプタクルコネクタ８によって、導電トレース６を通して送信することができる。
【００２３】
図１は、装着ポスト、ネジ又ははんだによって、図の所定位置で回路基板４に取付けられているレセプタクルコネクタ８を示す。これらはすべて当業者であれば周知のものである。レセプタクルコネクタ８は、２つの対向する側面１０、１２、頂面１４、底面１５、前面１６及び背面１８を有する。レセプタクルコネクタ８は、それぞれが回路基板４上の対応する導電トレース６に電気的に結合しているいくつかの電気的前面からアクセスすることができる接点２０の間隔を維持するように組立てられ、配置されている。
【００２４】
レセプタクルコネクタ８内の前面１６からアクセスすることができる接点２０の電気的及び機械的接続は、プラグタイプの嵌合コネクタ１００を延長して、レセプタクルコネクタ８と接触させることによって行うことができる。プラグコネクタ１００は、嵌合ブレードに沿って配置されていることが好ましい、それ自身の一組の導電性接点を有し、これらの接点はレセプタクルコネクタ接点２０と嵌合する。図１〜６に示されるような組立体の場合には、プラグコネクタは、レセプタクルコネクタ８と関連するガイド部材２４によって少なくとも一部は所定位置に案内され、このガイド部材２４は、レセプタクルコネクタ８の前方で、このレセプタクルコネクタから離れている位置の回路基板４に実装されていることが好ましい。好ましい実施形態の場合には、ガイド部材２４は、ほぼ逆Ｕ字形をしていて、はんだ付のような適当な手段によって回路基板４に取付けられるフード又はシールドとして形成されている。ガイド部材２４は、プラグコネクタ１００が延びて、嵌合レセプタクルコネクタ８と係合することができる中空チャネル８０を形成する。
【００２５】
図１〜３に示されるように、コネクタガイド部材２４は、少なくとも２つの平らな側面２６及び２８を含むことが好ましい。１つの平らな側面２６は、頂縁部３０、底縁部３２を有し、第２の側面２８も頂縁部３４及び底縁部３６を有する。平らな各側面２６及び２８は、更に前縁部及び後縁部を含む。第１の側面２６は、前縁部３８及び後縁部４２を有する。第２の側面２８は、前縁部４０及び後縁部４４を有する。２つの装着ポスト７０（図４）は、側面の底面に沿ってガイド部材内に形成することが好ましく、これらのポストは円筒形であってもよいし、ガイド部材自身の一部として打抜くこともできる。その構造がどうであれ、ポスト７０は、側面２６及び２８から下方に延びていて、回路基板４内に形成されている装着孔（あな）部２５内に収容される。ポストは、ガイド部材を回路基板４上の所定位置にはんだ付するために使用することができる。
【００２６】
図３及び４に示されるように、ガイド部材の対向する第１及び第２の側面２６及び２８は、頂縁部と底縁部との間にほぼ等しい高さ４６を有し、各側面の前縁部と後縁部との間にほぼ等しい幅４８を有することが好ましい。図１に示されるように、側面２６及び２８は、ほぼ直立していて、平らな頂部５２に対してほぼ直角に延びる。ガイド部材２４の好ましい実施形態は、１枚のシートメタルから打抜かれているが、本考案の目的のために、頂部５２、２つの側面２６及び２８は、また、共通の縁部のところで相互に結合することもできる。頂部５２は、図１の前部から見た場合にその右に示す第１の側縁部５４を有し、その左に示す第２の側縁部５６を有する。頂部５２も、前縁部５８及び後縁部６０を有する。
【００２７】
通常、ガイド部材２４は、後方に延びるタブ又はスプリングアーム６４の形をしているガイド部材の延長部が形成される金属ブランクから打抜かれ、形成される。図においては、ガイド部材は、カンチレバー状に延びていて、アーム６４内にバイアス又はプリロードを生成する若干下向きの角度で形成することが好ましい。このバイアスは、スプリングアーム６４の遠い方の端部の近くに位置する隆起部又はキャッチ６２で示すプラグ係合部を押して、プラグコネクタの対応する部分内に形成されている対応するスロット又は凹部１０２と係合させる。
【００２８】
図２は、レセプタクルコネクタ８及びコネクタプラグに対するガイド部材２４の相対的位置の後部からの斜視図である。図２に示されるように、ガイド部材２４は回路基板４に装着されていて、そのためガイド部材２４は、レセプタクルコネクタから間隔を置いて位置する。すなわち、レセプタクルコネクタと接触していないで、レセプタクルコネクタ８の嵌合面１６の前に位置する。図２は、また、回路基板４上の接続トレース６及びレセプタクルコネクタ８の電気接点２０への接続を示す。図２は、また、打抜きによって側面プレート２８内に形成されている側部ロッキングラッチ又は係合タブ５３も示す。これらの係合タブ５３は、内側、すなわち、ガイド部材２４のチャネル８０の内部に向かって延びていて、これらのタブは、プラグ１００がガイド部材２４内に挿入され、レセプタクルコネクタ８と係合した場合、プラグコネクタ１００の側壁部１１０と摩擦によって接触するような大きさ、形状を有し、そのように配置されている。図１に示されるように、プラグコネクタは、ガイド部材の係合タブ５５が捕捉（そく）するその側壁部内に開口部５７を設けることができる。
【００２９】
図３は、図１の電子組立体の後部斜視図であり、回路基板４、レセプタクルコネクタ８の後部１８を示す。この後部１８の接点２０は、所定位置に設置され、ラッチされるプラグコネクタ１００によって、基板トレース６とプラグコネクタワイヤ１０１との間に電気接続を確立する。図３の場合には、本考案のプラグコネクタ１００は、スプリングアームキャッチ６２がプラグコネクタ１００の頂部内のスロット１０２と係合するまで、ガイド部材２４を通して延びる。図３に示されるように、このキャッチは、遠い方の端部、すなわちスプリングアーム６４がガイド部材２４の頂部５２の後縁部６０から離れる方向に延びる点から最も遠い端部の近くに位置する。このキャッチ−スロット係合装置は、プラグコネクタ１００をレセプタクルコネクタ８と嵌合した場合、組立てる人が聞いたり感じたりすることができる、耳で聞くことができる係合「カチッという音」だけではなく、触知可能なカチッという音も発生する。
【００３０】
図４は、ガイド部材２４及び該ガイド部材２４内に挿入する前のコネクタ１００の相対的位置の前部斜視図である。図４は、図面を見やすくするために回路基板４は図示していない。この図は、プラグコネクタ１００が、コネクタ１００の本体内に切除、成形又は他の方法で形成され、レセプタクルコネクタと完全に係合した場合に、キャッチ６２を受入れるように位置しているコネクタラッチスロット１０２を含むことをはっきりと示す。図を見れば、プラグコネクタが、プラグコネクタ１００の前部係合面１２１から外側に延びる前縁部を有する縁部カード１２０の形をしている好ましい嵌合部を含むことが分かる。
【００３１】
縁部カード１２０は、プラグコネクタ１００をレセプタクルコネクタ８内に挿入した場合に、レセプタクルコネクタの接点２０と嵌合するために、前縁部に沿って配置されている複数の導電トレース１２５を有する。プラグコネクタハウジングは、また、嵌合面１２１から前方に、縁部カード１２０上を延びる延長部１３０を含むことができる。図では、この延長部１３０は、縁部カード１２０の少なくとも全幅に対して横方向に延びていて、縁部カード１２０の幅より広い幅を有することが好ましい第１のフランジとして図示されている。この第１のフランジは、まず第一に、縁部カード１２０が引抜かれるのを防止する働きをし、その内部に支持されている露出端子の一部をカバーするためにレセプタクルコネクタ８の頂部の一部上を延びる。これは、また、凹部１０２に対する支持となる。
【００３２】
図４は、また、プラグコネクタフランジが、引込面を形成するある角度を有する側面１３１を有し、そのためガイド部材によってプラグコネクタ１００をレセプタクルコネクタと容易に整合することができることを最もはっきり示す。第１のフランジは、縁部カード１２０上の接点が、ガイド部材２４又はレセプタクルコネクタ８以外のものと接触するのを防止するために、縁部カード１２０が嵌合面１２１から突出している長さよりも長く嵌合面１２１の前方に延びる好ましい長さを有する。
【００３３】
図４は、また、ガイド部材２４の１つの側面２８内に形成されている側面ロッキングラッチ５５も示す。この実施形態の場合には、側面ロッキングラッチ５５は、対向する側面２６の方に延びていて、プラグコネクタ１００の対応する側面に形成されている対応する側面止金５７と係合する側面に小さなタブが形成されるように、ガイド部材２４が形成される金属を単に打抜くことによって形成される。プラグコネクタ１００が対向するレセプタクルコネクタと完全に係合すると、側面ロッキングラッチ５５（ガイド部材２４の両方の側面２６、２８上に形成されていることが好ましい）が、対応する止金５７と係合し、プラグコネクタ１００をレセプタクルコネクタ８と係合状態に「ラッチ」する。この実施形態の場合のラッチは、レセプタクルコネクタ８によってではなくガイド部材２４により行われ、そのためワイヤ１０１による組立体上の歪みは、レセプタクルコネクタ８によってではなく、ガイド部材２４により吸収される。さらに、プラグコネクタ１００及びレセプタクルコネクタ８内の接点の任意の整合ずれは、ガイド部材２４のこの形態によるプラグ−レセプタクル整合機能によって最小限度まで低減する。
【００３４】
図５は、ガイド部材２４内に完全に挿入したコネクタ１００の後部斜視図である。この図の場合、ガイド部材キャッチ６２は、コネクタ１００内のスロット１０２と相互ロック係合している。スプリングアーム６４内の曲がり又は「バイアス」によって、プラグコネクタ１００がガイド部材２４内に完全に挿入された場合、キャッチ６２は、係合スロット１０２内に押込まれる。同様に、側面ロッキングラッチ５５（一方の側面上に示す）も内側に曲がるので、プラグコネクタ１００が有意の引出す力が加わらなくても除去されるのを防止するために、プラグコネクタ凹部５７内に延びることができる。プラグコネクタ１００がこのようにレセプタクルコネクタ８と接続されると、ガイド部材も歪みを除去し、導体が整合する。
【００３５】
図６は、コネクタ整合ガイド２４内に設置した場合のコネクタ１００の部分断面図である。この図の場合、プラグ係合ラッチ６２の相互ロック係合を、図面の右側にはっきり示す。下方にバイアスされていて、コネクタスロット１０２内に入っている係合ラッチ６２は、コネクタ１００を整合ガイド２４内に保持する働きをすることを理解することができるだろう。また、この図は、コネクタガイド側面２６及び２８の底縁部３２と接続していて、回路基板又は他の基板４に整合ガイド２４を電気的かつ機械的に装着するために使用される２つの装着ポスト７０も示す。
【００３６】
図１〜６ではプラグコネクタ１００の頂部上に配置されているが、フランジ１３０は、プラグコネクタ嵌合面１２１の底部上に設置することもできる。このように設置した場合でも、フランジは、依然としてスタブに対して保護機能を有し、また、レセプタクルコネクタ８の縁部カード収容スロットの下のレセプタクルコネクタ８の底部に沿って形成されている凹部内に収容する整合機能を有する。
【００３７】
図７及び８は、本考案の原理によって組立てた回路基板上で垂直に使用するためのプラグコネクタの他の実施形態２００である。これらの図に示されるように、レセプタクルコネクタ２０１は、回路基板２０２に対して垂直に面実装されるコネクタである。コネクタ２０１は、絶縁ハウジング２０４を有し、複数の導電性端子２０６を支持する。端子２０６は、回路基板２０２の表面上のパッド又はトレースにはんだ付されるテール部２０８を含む。導電性ガイド部材２１０は、コネクタ２０２と一緒に使用するためのものであり、そこから横方向に延びる２つの側部プレート２１３を有する頂部プレート２１２を含むほぼＵ字形をしていることが分かる。これら３つのプレートは、協働して、レセプタクルコネクタ２０１の周囲及び上を部分的に延びるチャネル２１５を形成する。ガイド部材の頂部プレート２１２は、スロットを含み、キャッチ部材２２０が延びる凹部２１８を有する。このキャッチ部材は、第１の実施形態と同じ方法で、プラグコネクタハウジング２５０上のスロット（図示せず）と係合することが好ましい曲げ部２２１を有する。
【００３８】
この実施形態の場合には、プラグコネクタ２４０は、大部分、単に垂直方向に対して向けるためのものであって、縁部カード及び第１のフランジが延びる絶縁ハウジング２５０を有する。第１のフランジの一部は、レセプタクルコネクタ２０１の露出端子の上を延びていて、垂直ガイド部材のキャッチ部材２２０と係合するためのスロットを有する。
【００３９】
図９は、本考案の原理によって組立てられたプラグコネクタの他の実施形態を含む他の電子組立体である。この組立体においては、シュラウド（又はガイド部材）１１００は、間に間隔を有する２つの側壁部１１０４、１１０５を相互に接続する頂壁部１１０２を有する。シュラウド１１００は、端部から見た場合ほぼ逆Ｕ字形をしていて、回路基板１１１０に装着されるレセプタクルコネクタ１１５０から離れている回路基板１１１０上に位置する。レセプタクルコネクタ１１０５は、図１〜６に示し説明したレセプタクルコネクタ８と類似の形をしていて、そのカード収容スロットの下のその底面に沿って、及びレセプタクルコネクタ１１０５の底面の下に開口部又は凹部を含む。スロットは、プラグコネクタ１２００でそのブレード部として使用される回路カードの前縁部を収容する。シュラウド１１００は、プラグコネクタ１２００を回路基板コネクタ１１５０と係合するために案内することができる中空チャネル１１０６を含む。
【００４０】
シュラウド１１００は、また、嵌合の後でプラグコネクタ１２００を所定位置に保持する働きもする。この点について、シュラウド１１００は、シュラウドの頂壁部１１０２の前方に延びる細長い延長部１１１７を含み、さらに、シュラウド１１００の側壁部１１０４、１１０５内に配置されていて、前方に縦方向に延びる１つ又は複数の整合スロット１１３５を含むことが好ましい。その目的については、以下に更に詳細に説明する。プラグコネクタ１２００を案内するための追加手段１１１９もシュラウド１１００上に設置することができ、内側に曲がり、側壁部１１０４、１１０５から所定の距離だけ延びるタブ１１１８の形をとることができる。
【００４１】
図１、３及び５に最もよく示されるように、プラグコネクタ１２００は、ほぼ多角形をしていて、図面では頂面１２０２、２つの側壁部１２０４、１２０５、底面１２０６及び後面１２０８を含む実線の長方形で示してある。ケーブルは、通常、後面１２０８から外に出るが、図面を見やすくするために省略してある。コネクタの前端部１２１０は、プラグコネクタ１２００の嵌合端部を形成していて、図９〜１３に示されるような用途の場合には、プラグコネクタ１２００は、通常は回路カード１２１４の前縁部の形をしている前方に突出している嵌合ブレード１２１２を含む前部嵌合面１２１１を含むことが好ましい。頂面１２０２（及び図面では底面１２０６）は、前面１２１１から前方に延び、回路カード１２１２上に位置していて、この回路カードから離れている第１のフランジの形をしている延長部１２１５を有することができる。この実施形態はもう１つの延長部を含むことが好ましく、図１２及び１３に最もよく示されるように、この延長部は、同様に、前面１２１１から前方に延びていて、回路カード１２１４及び第１のフランジ１２１５の下に位置していて、これらの部材から離れている第２のフランジ１２１６の形をしている。このタイプの装置の場合には、２つのフランジ１２１５、１２１６を「側面に位置する」回路カード１２１２と見なすことができる。
【００４２】
シュラウド圧着タブ１１１７は、若干のバイアスを与えるために下方に曲がっていて、そのため嵌合コネクタ１２００の頂面１２０２、特に、その頂部延長部１２１５とスライド又は端接によって接触する。図１３はこのタイプの係合を最もはっきり示し、頂部フランジ１２１４は、シュラウド圧着タブ１１１７の止金部と係合するように、頂部フランジ１２１５の前端部から特定の距離だけ離れている横方向のスロット又は凹部１２１４を含むことができる。この係合は、プラグコネクタ１２００をレセプタクルコネクタ１１５０と嵌合状態に保持するのを助け、また、オペレータが２つのコネクタ１２００、１１５０間の係合が完了したのを確認するのを助ける働きをする。その下向きのバイアスを含む圧着タブ１１１７は、聞いたり感じたりすることができる両方の方法で、凹部１２１４内に「カチッ」と係合する。そのためオペレータは、係合を感じるばかりでなく、係合を「耳で聞く」こともできる。
【００４３】
シュラウド１００は、さらに、ラッチ機構の一部としてプラグコネクタ２００上に形成されていることが好ましい、ラグ１２２０のような手段によって係合する、その頂壁部１０２内に配置されている１つ又は複数のスロット又は凹部１１３０を含むことができる。これらのラグ２２０は、以下に更に詳細に説明するように、別の基部又はアンカー及び作動部を形成するために、あるラインに沿って自分自身の上で曲がっている、図ではある長さのシートメタルから形成されているプッシュタイプのボタン１２２５によって、スロット１１３０と係合したり、係合から外れたりする。
【００４４】
すでに説明したように、シュラウド１１００は、また、シュラウドの側壁部１１０４、１１０５で、その外側を向いている縁部に沿って形成されている一対の整合スロット１１３５を含むことができる。これらのノッチ１１３５は、プラグコネクタハウジング１２００の外部上に形成されているラグ１２２６として示す対応する構造体と係合する。これらのラグ１２２６は、対応するシュラウドの整合スロット１１３５内に収容されている中央脚部１２２７、及び、中央脚部１２２７に垂直な基部１２２８を形成している他の２つの脚部を含み、側面から見た場合ほぼＴ字形をしている。基部１２２８は、側壁部１１０４、１１０５の縁部と端接した場合、ストップとしての働きをする。本考案の場合には、シュラウド１００のタブ１１１８は、プラグコネクタ外部に沿って縦方向に延びるノッチ１２０７内に収容され、これらのタブ１１１８及びノッチ１２０７は、シュラウド１１００の内部でまず第一に、プラグコネクタ１２００をある方向に向け、位置決めする働きをし、ノッチ１１３５及びラグ１２２６は、協働して、次にレセプタクルコネクタ１１５０のカード収容スロットに対向して、プラグコネクタ１２００の回路カード１２１２をある方向に向ける。
【００４５】
図１４〜１９は、本考案の原理によって組立てられたプラグコネクタ３００の他の実施形態である。図１４では、プラグコネクタ３００は、突起嵌合ブレード３０４が延びていて、この、及び、他の実施形態においては回路カード３０５として示す前部嵌合面３０２を備える絶縁ハウジング３０１を含む。回路カードは、すでに参照符号８及び１１５０で示すタイプの対向するレセプタクルコネクタの対応するスロットに容易に入れることができるように、図に示すようなある角度を有するか、又は面取りすることができる前縁部３０６を有する。プラグコネクタ３００は、プラグコネクタ本体部３０９、特に、前面３０２から前方に延びる第１及び第２の（又は頂部及び底部）フランジ３１０、３１２を含む。
【００４６】
図１５に示されるように、頂部及び底部フランジ３１０、３１２は、スタブ及び偶発的なショートから回路カードの前縁部３０６を保護するために、回路カード３０５の前縁部３０６を越えて、あらかじめ選択した距離Ｄをそれぞれ延びることが好ましい。頂部フランジ３１０は、その側縁部３１６に沿ってある角度を有することが好ましく、これらのある角度を有する縁部は、ガイド部材、レセプタクルコネクタ又は両方に挿入された場合、フランジ３１０及びプラグコネクタ３００を「引込」手段を提供する。図１８に最もよく示されるように、頂部フランジ３１０は、回路カード３０５の幅より広い幅を有することが好ましいが、底部フランジ３１２は、回路カード３０５の幅より狭い幅を有することが好ましい。そのため底部フランジ３１０は、本考案のプラグコネクタと一緒に使用するためのレセプタクルコネクタの底面に沿っている収容スペース内に容易に挿入することができる。この距離の違いにより、底面フランジ３１０が対向するレセプタクルコネクタの脚部と衝突する恐れが少なくなる。回路カード３０５は、これら２つのフランジ３１０、３１２の間に配置されていて、各フランジは、水平方向を向いていようが、垂直方向を向いていようが、回路カード３０５を保護する手段を提供する。
【００４７】
この実施形態３００は、また、コネクタ本体部３０９の一部として形成されていることが好ましい、フレーム部材３２６を含むラッチ機構３２５を含む。このフレーム部材３２６は、ラッチ部材３２８を収容するスロット３２７を形成する。図１６及び１７は、ラッチ部材３２８を最もよく示す。このラッチ部材は、その前縁部３２９に沿ってそれ自身の上で折曲がっている１枚の金属片から形成することができる。この折曲がりが、金属片を２つの部分に分割する。この第１の部分は、ほぼ平らな基部又はアンカー部３３０で、ある輪郭を有する作動部３３１である。基部は、側縁部３３３に沿って形成されていて、主として、ラッチ部材３２８をプラグコネクタ３００上の正しい場所に保持するために、フレーム部材スロット３２７の内側壁部３４０内へ自分自身を埋設、又は「削る」１つ又は複数の干渉突起３３２を有する。
【００４８】
１つ又は複数の上を向いているラッチタブ３４６が、ラッチ部材３２８内に形成されていて、これらのタブ３４６は、図１１に最もよく示されるように、ガイド部材内に形成されている対応する開口部又は凹部と係合する。作動部３３１は、若干上向きの角度で曲がっていて、そのためフレーム部材３２６の制約内で曲がることができる。この点に関して、スロット３２７は、図１９に最もよく示されるように、ラッチ部材３２８の側縁部３３３及び削り突起３３２を収容する内部溝部又はチャネル３４０を含む。基部３３０は、作動部３３１より若干大きく、そのため、この基部はフレーム部材内で干渉嵌（はめ）合いを形成し、それにより、作動部はフレーム部材３２６内の所定位置で容易に上下に曲がることができる。作動部３３１を捕捉するために、その後端部３３５は、側面に突出している１つ又は複数のタブ３３６を含むことができ、これらのタブは、スロット３２７の内面３４０に沿って形成されている肩部３２９によって、その可能な垂直方向の運動（上下運動）中に捕捉される。肩部３２９の下のエリアは、作動部３３１のボタン部３２６を下に押した場合、タブ３３６がうまく入り、また、湾曲することができるように、３４１の所で凹んでいる。
【００４９】
フレーム部材３２６の前端部３４５は、プラグコネクタの本体部の頂面上に中空でない端接部として形成することができ、また、ある角度を有する側縁部３４６を有することもできる。したがって、この前端部３４５は、すでに説明した本体部のノッチ１２０７並びに頂部及び底部フランジの他に、他のキーイング機能としての働きをすることができる。このようなキーイング機能を実行するために、ガイド部材は、フレーム部材の前端部３４５を案内し、収容するチャネルを含むことができる。頂部フランジ３１０は、また、頂部フランジ３１０の前縁部から離れている横方向の凹部３１１を備えることができる。この凹部は、すでに説明したように、ガイド部材の圧着タブの対応する止金を収容する。
【００５０】
この実施形態の場合には、回路カード整合手段３５０は、若干違う形をしている。この整合手段は、プラグコネクタ本体部３０９の側面から外側に延びる突出ラグ３５１を含むが、ラグは１つの突起ではなく、コネクタ本体部３０９ａの後部は幅が広くなっていて、そのため、２つの停止面３５２がラグ３５１の各側面上に形成される。Ｔ字形全体は同じままであるが、停止面がプラグコネクタ内に切込んでいるという点で、ラグ／ストップは、剪（せん）断力に対して強化されている。この点に関して、ラグ３５１の前のエリアは、コネクタ本体部の拡大エリア２０９ａに対して凹んでいると見なすことができる。
【００５１】
図２１〜２３は、本考案のプラグコネクタを製造する１つの方法を示す。図２１に示されるように、プラグコネクタ４００は、前壁部４０３、２つの側壁部４０４、４０５、並びに、頂部及び底部フランジ４０６、４０７を含むあらかじめ成形されたフレーム４０２を使用する。前壁部４０３は、その中に形成されている横方向のスロット４０８を有し、該横方向スロット４０８は、他の２つのスロット又はチャネル４０９、４１０と連絡していて、各スロット又はチャネルは、フレーム４０２の側壁部４０４、４０５内に形成されている。これらのチャネル４０９、４１０は、側壁部４０４、４０５に沿ったその方向及び前壁部４０３を通してテーパ状にすることができ、又はこれらのチャネルは、また、回路カード４５０に対してストップとしての働きをする内部肩部４１２（図２２）を含むことができる。回路カード４５０は、前縁部４５１及び後縁部４５２、並びに、その頂面及び底面４５５、４５６の上に配置されている接点パッド、又は、トレース４５３のような複数の導電性素子を有する。回路カード４５０の側面も、テーパ状になっていることが好ましく、フレーム４０２の内部肩部４１２と係合する外部肩部４５９を含むことができる。これらの肩部は、フレーム４０２内への回路カード４５０の導入に対してストップとしての働きをする。
【００５２】
回路カード４５０は、チャネル４０９、４１０内に挿入され、２つの対向する肩部４１２、４５９が相互に接触し、図２３に示されるように、回路カードが、その好適な深さに達するまで、前壁部のスロット４０８を通して押込まれる。回路カード４５０の上下の及び側壁部４０９、４１０間の何もないエリアは、一対の何もない内部終端ネスト４６０、４６１を形成する。このエリア内においては、ケーブルワイヤ１０１の露出端部は、終端ネスト４６０、４６１内に位置する一番後の接点パッド４５３まで延びる。
【００５３】
終端の後で、フレーム４０２の側壁部４０４、４０５間のネスト４６０、４６１の何もないエリアを完了することができる。このことは、フレーム４０２上にスライドし、その後で熱溶接又は超音波溶接のような方法で永久に取付けられる本体部４７０をあらかじめ形成することによって行うことができる。又は好ましい実施形態の場合には、本体部４７０は、「オーバーモールディング」プロセスによって正しい場所で成形することにより形成される。その場合、フレーム部材４０２、回路カード４５０及び終端ワイヤ１０１の組立体は、モールドのキャビティ内に置かれ、本体部４７０は圧力下で熱可塑性プラスチック又は類似の材料によって形成される。本体部４７０は、フレーム部材４０２の幅と等しい幅を有することができ、そのためＴ字形の整合ラグ４８０は、図９〜１３に示されるように、突起として形成される。同様に、本体部４７０は、フレーム部材４０２より広い幅を有することができ、そのため整合ラグ４８０は、図１４〜１９に示されるようなタイプの形をとることができる。ラッチ部材３２８は、本体部が組立てられた後、又は、形成された後に挿入される。
【図面の簡単な説明】
【００５４】
【図１】レセプタクルコネクタに、本考案の原理によって組立てられたプラグコネクタの第１の実施形態を整合するために、回路基板に装着してあるレセプタクルコネクタに関連するコネクタガイド部材を使用するエレクトロニクス組立体の分解斜視図である。
【図２】本考案の第１の実施形態を使用することができる環境を示す、図１のレセプタクルコネクタ及びガイド部材を後方から見た斜視図である。
【図３】図２と同じ図面であるが、ガイド部材に挿入され、レセプタクルコネクタ及びガイド部材の両方と係合している第１の実施形態のプラグコネクタを示す。
【図４】ガイド部材から離れている図１のプラグコネクタを前部から見た拡大斜視図である。
【図５】プラグコネクタをガイド部材内に挿入した後の図４のプラグコネクタを後部から見た拡大斜視図である。
【図６】６−６線に沿って切断した図５の断面図である。
【図７】垂直面実装レセプタクルコネクタと一緒に使用する、垂直ガイド部材の他の実施形態の斜視図である。
【図８】図７と同じ図面であるが、その対向する側面から見たものである。
【図９】レセプタクルコネクタから離れていて、それと整合している本考案の原理によって組立てられたプラグコネクタの第２の実施形態を備えるレセプタクルコネクタ及び関連するシュラウド又はガイド部材の斜視図である。
【図１０】図９と同じ図面であるが、シュラウド内にその一部が挿入されているプラグコネクタを示す。
【図１１】図１０と同じ図面であるが、シュラウド内で完全に係合していて、レセプタクルコネクタと嵌合しているプラグコネクタを示す。
【図１２】前部から見た、図９のプラグコネクタの斜視図である。
【図１３】ほぼ１３−１３線に沿って切断した図９の断面図であるが、シュラウド内の所定位置に位置していて、回路基板コネクタと嵌合しているプラグコネクタを示す。
【図１４】本考案の原理によって組立てられたプラグコネクタの第３の実施形態の斜視図である。
【図１５】図１４のプラグコネクタの左側面図である。
【図１６】１６−１６線に沿って切断した図１４のプラグコネクタの断面図である。
【図１７】図１４と同じ図面であるが、図面を見やすくするためにケーブルを除去し、ラッチ部材を除去し、プラグコネクタハウジング上のその保持フレームから離れている図面である。
【図１８】図１４のプラグコネクタの前部立面図である。
【図１９】図１６と同じ図面であるが、図面を見やすくするためにラッチ部材を除去してある。
【図２０】図１４のプラグコネクタの後部立面図である。
【図２１】本考案のプラグコネクタを製造する１つの方法で使用する構成要素の分解図である。
【図２２】図２１のプラグコネクタを製造するためにあらかじめ成形したフレームのある角度から見た図面である。
【図２３】あらかじめ成形したフレーム内の所定位置に位置する回路カードを示し、さらに、フレームの側壁部間に形成されている終端ネストを示す図２２と同じ図面である。
【図１】
0003121388.tif 000003
【図２】
0003121388.tif 000004
【図３】
0003121388.tif 000005
【図４】
0003121388.tif 000006
【図５】
0003121388.tif 000007
【図６】
0003121388.tif 000008
【図７】
0003121388.tif 000009
【図８】
0003121388.tif 000010
【図９】
0003121388.tif 000011
【図１０】
0003121388.tif 000012
【図１１】
0003121388.tif 000013
【図１２】
0003121388.tif 000014
【図１３】
0003121388.tif 000015
【図１４】
0003121388.tif 000016
【図１５】
0003121388.tif 000017
【図１６】
0003121388.tif 000018
【図１７】
0003121388.tif 000019
【図１８】
0003121388.tif 000020
【図１９】
0003121388.tif 000021
【図２０】
0003121388.tif 000022
【図２１】
0003121388.tif 000023
【図２２】
0003121388.tif 000024
【図２３】
0003121388.tif 000025